(57)【要約】      （修正有）【課題】汚物タンク内に貯溜された汚物の上に発生する消臭泡の消滅による臭気の発生を抑制する事を目的とするものである。【解決手段】使用者の臀部に装着するカップと、このカップと接続チューブにより接続され、吸排気ファンによりカップ内に排泄された汚物を吸引して貯溜する汚物タンク３とを備え、かつこの汚物タンク３の上部に接続チューブと連通する吸引口３５と吸引モータの吸引ホースに連通する排気口３６とを設けたものにおいて、汚物タンク３内の吸引口３５及び排気口３６よりも下方に、汚物タンク３内を上下に仕切る分離板４５を装着したする様に構成して成る。【選択図】図２
2008132237.tif 000002
【特許請求の範囲】
【請求項１】
使用者の臀部に装着するカップと、このカップと接続チューブにより接続され、吸排気ファンにより上記カップ内に排泄された汚物を吸引して貯溜する汚物タンクとを備え、かつこの汚物タンクの上部に上記接続チューブと連通する吸引口と上記吸引モータの吸引ホースに連通する排気口とを設けたものにおいて、上記汚物タンク内の上記吸引口及び排気口よりも下方に、汚物タンク内を上下に仕切る分離板を装着した事を特徴とする自動排泄物処理装置。
【請求項２】
上記汚物タンク内の上部中央に、上記カップ内より吸引口を介して吸引された吸気中の排泄物を分離するセパレータを装着し、このセパレータの中心部に上記排気口に連通する排気通路を区画形成すると共に、上記分離板をすり鉢状に形成し、かつこの分離板の略中心部に汚物落下口を開口した事を特徴とする、上記請求項１に記載の自動排泄物処理装置。
【発明の詳細な説明】
【技術分野】
【０００１】
本発明は、病院等にて自力で歩けない状態でベッドに収容されている病人や怪我人、或いは寝たきり老人等の介護に好適な自動排泄物処理装置に関する。
【背景技術】
【０００２】
寝たきり老人や病人の排便処理を行う排便処理装置では、例えば特許文献１に示される様に、介護人の臀部に受便器５を装着し、この受便器と便槽１６の受口１７とに送便管１５を接続し、かつ便槽の排気口２１に排気ポンプ２２を接続し、この排気ポンプにより便槽内の空気を排出することで、受便器内の排便を便槽内に吸引して溜める様に構成している。
【特許文献１】特公昭６２−１９１７９号公報
【発明の開示】
【発明が解決しようとする課題】
【０００３】
一方、上記排便の吸引により便槽内に汚物が溜り、かつこの汚物の上に消臭泡が発生し、この消臭泡が汚物から発生する臭気の放出を防止しているが、上記受口と排気口からの空気の吸排気の流れによって上記消臭泡が攪拌されて消滅し、これにより排気口から放出する臭気が増加するという問題がある。
【０００４】
そこで本発明は、汚物を貯溜する汚物タンクから発生する臭気を減少する事を目的とするものである。
【課題を解決するための手段】
【０００５】
本発明の請求項１の構成は、使用者の臀部に装着するカップと、このカップと接続チューブにより接続され、吸排気ファンによりカップ内に排泄された汚物を吸引して貯溜する汚物タンクとを備え、かつこの汚物タンクの上部に接続チューブと連通する吸引口と吸引モータの吸引ホースに連通する排気口とを設けたものにおいて、汚物タンク内の吸引口及び排気口よりも下方に、汚物タンク内を上下に仕切る分離板を装着して成るものである。
【０００６】
本発明の請求項２の構成は、請求項１の構成において、汚物タンク内の上部中央に、カップ内より吸引口を介して吸引された吸気中の排泄物を分離するセパレータを装着し、このセパレータの中心部に排気口に連通する排気通路を区画形成すると共に、分離板をすり鉢状に形成し、かつこの分離板の略中心部に汚物落下口を開口して成るものである。
【発明の効果】
【０００７】
本発明の請求項１に記載の構成により、分離板により、吸引口から流入して排気口から排出する空気の流れによる消臭泡の消滅を防止し、消臭泡の消滅による臭気の発生を防止する事が出来るものである。
【０００８】
本発明の請求項２に記載の構成により、分離板をすり鉢状に形成したことで、分離板をガイドとして吸引口から流入した空気をセパレータの中心部に設けた排気口に導き、分離板下方の空気の攪拌を防止し、攪拌による消臭泡の消滅を確実に防止する事が出来るものである。
【発明を実施するための最良の形態】
【０００９】
本発明による実施例を先ず図１に基づき説明すると、１は自動排泄処理機本体で、温水器２と、汚物タンク３と、消臭フィルター４と、吸排気ファン５と、温風ヒータ６と、制御回路７とを主に内蔵している。
【００１０】
上記温水器２は、温水ヒータ８を収納した温水タンク９の上に給水タンク１０を着脱自在に連結し、温度センサ１１にて上記温水タンク9内の水温を検出して上記温水ヒータ８への通電を制御回路７にて制御し、温水タンク9内の水温を設定温度に加熱する。
【００１１】
上記吸排気ファン５は、吸引ホース１２を上記消臭フィルター４に接続し、かつこの消臭フィルターを汚物タンク３の排気管１３に接続している。
【００１２】
１４は介護者の臀部に装着するカップで、臀部に温風を噴出する図示しない温風ノズルや、おしりに洗浄水を噴出する洗浄ノズル１５、カップ内への汚物の排泄を検出するセンサ１６を装着していると共に、排泄された汚物を吸引する吸引パイプ１７と、上記温風ノズルに温風を供給する温風パイプ１８を連結し、かつこれらの洗浄ノズル１５、吸引パイプ１７、温風パイプ１８等は接続チューブ１９により上記自動排泄処理機本体１の適所に装着されたコネクタ２０に着脱自在に連結される。
【００１３】
そして、上記吸排気ファン５の排気ホース２１は、上記温風ヒータ６−温風管２２−コネクタ２０−接続チューブ１９を介して上記温風パイプ１８に連通され、吸排気ファン５による送風を温風ヒータ６にて所定の設定温度に加熱してカップ１４内に供給する。
【００１４】
一方、カップ１４内に供給された温風は、上記吸排気ファン５の吸気により吸引パイプ１７より吸引されて接続チューブ１９を通った後、上記コネクタ２０に接続された吸引ホース２３を通って汚物タンク３に吸引され、この汚物タンクを経て排気管１３より消臭フィルター４を介して吸引ホース１２より吸排気ファン５に吸引され、上記の循環を繰り返す。
【００１５】
又、上記吸引パイプ１７により吸引された汚物は、汚物タンク３内にて分離されて汚物タンクに貯溜され、この貯溜された汚物より発生する臭気は上記消臭フィルター４により脱臭されるものである。
【００１６】
上記温水タンク９内の温水は、手動による洗浄操作、又はセンサ１６による排便や排尿の検出による洗浄運転により、温水ポンプ２５にて送水ホース２６−接続チューブ１９を経て洗浄ノズル１５より臀部に向けて噴射される。
【００１７】
図２は上記汚物タンク３の断面図で、有底筒状のタンク３１の上面開口３２に蓋体３３を着脱自在に嵌着していると共に、この蓋体の上面に持手３４を起倒自在に枢支している。
【００１８】
又、上記蓋体３３の側面には上記吸引ホース２３を連結する吸引口３５と、上記排気管１３を連結する排気口３６を開口していると共に、一端をこの排気口に連通する排気通路３７を区画形成し、かつこの排気通路の他端底部に蓋体３３の略中心位置に開口する排気通口３８を穿孔している。
【００１９】
４０は上記蓋体３３内の排気通口３８部に装着したセパレータで、逆椀状の分離壁４１内にコップ状の仕切ケース４２を設け、この仕切ケース内の略中心部に上記排気通口３８に連通する通気路４３を区画形成している。
【００２０】
又、上記仕切ケース４３の上記分離壁４１の下端より上方に位置する上部には、円周方向に複数の通過孔４４・・を所定の間隔を置いて穿孔し、上記吸引口３５より汚物タンク３内に流入した空気が、分離壁４１の下端を経由して通過孔４４・・を通過した後、通気路４３−排気通口３８−排気通路３７を経て排気口３６より排出することで、空気に混入した汚物を分離してタンク３１内に落下させる様に構成している。
【００２１】
４５は上記タンク３１内のセパレータ４０より下方に装着したすり鉢状の分離板で、底部の略中心に汚物が通過して落下する汚物落下口４６を穿孔している。
【００２２】
そして上記分離板４５により、上記吸引口３５より汚物タンク３内に流入した空気が分離板４５の上面壁４７にガイドされて通過孔４４・・に流入することで、タンク３１内に貯溜された汚物４８の上に発生する消臭泡４９部分には、上記吸引口３５から吸引され排気口３６から排出する空気の循環による空気の流れが発生せず、上記空気の流れによる消臭泡４９の消滅を防止する事が出来るものである。
【００２３】
これにより、汚物４８から発生する臭気が消臭泡４９により阻止され、排出口３６から排出する臭気の排出量を低減すると共に、蓋体３３をタンク３１から取り外して、このタンク内の汚物４８を廃棄時にこの汚物から発生する臭気の量も低減する事が出来るものである。
【００２４】
而して、制御回路７はセンサ１６にて排泄を検出すると、温水ポンプ２５を作動して温水タンク9内の温水を送水ホース２６−接続チューブ１９を介して洗浄ノズル１５より噴射すると共に、吸排気ファン５を作動してカップ１４内の排泄物を、吸引パイプ１７−接続チューブ１９−コネクタ２０−吸引ホース２３を介して汚物タンク３内に吸引する。
【００２５】
又上記汚物タンク３内の空気は、排気管１３にて消臭フィルター４を通過した後、吸引ホース１２より吸排気ファン５に吸引され、その後排気ホース２１−温風管２２−コネクタ２０−接続チューブ１９を介して温風パイプ１８よりカップ１４内に噴射され、以降上記の循環を繰り返す。
【００２６】
そして、上記温水ポンプ２５は予め設定した所定時間作動して使用者の臀部を洗浄し、その後温風ヒータ６に通電して温風管２２−コネクタ２０−接続チューブ１９を介して温風パイプ１８よりカップ１４内に温風を供給することで、使用者の臀部の乾燥を行う。
【００２７】
尚、上記温風ヒータ６への通電は吸排気ファン５の作動と同時に行っても良く、気温や室温に応じて通電を制御する様に構成しても良い。
【図面の簡単な説明】
【００２８】
【図１】本発明の実施例を示す概略構成図である。
【図２】同じく汚物タンクの側面縦断面図である。
【符号の説明】
【００２９】
３    汚物タンク
５    吸排気ファン
１４  カップ
１９  接続チューブ
２６  排気口
４０  セパレータ
４３  排気通路
４５  分離板
４６  汚物落下口
【図１】
2008132237.tif 000003
【図２】
2008132237.tif 000004